(57)【特許請求の範囲】
【請求項１】
測定器とコンピュータとを接続し、前記コンピュータの画面上で操作を受け付けて前記測定器の測定に関するパラメータを設定する方法であって、
前記測定器に記憶された機種情報、測定に関する設定項目及び前記設定項目に対応したパラメータを読み出して、前記コンピュータの記憶部に一時的に記憶する工程と、
前記機種情報に対応した前記測定器の外観画像を前記画面に表示するとともに、前記画面上で操作を選択するためのアイコンを前記画面上の前記外観画像の所定位置に対応付けして表示する工程と、 
前記アイコンの選択を受け付けた場合、前記アイコンに対応付けされた前記所定位置と関連する前記測定器での操作によって選択可能となる前記設定項目を前記画面に表示する工程と、
前記設定項目に対応した前記パラメータの変更を前記コンピュータで受け付ける工程と、
変更後の前記パラメータを前記コンピュータから前記測定器へ送信する工程と、
を備え、
前記パラメータの変更を受け付ける工程では、変更後の前記パラメータを前記記憶部に一時的に記憶した後、取消指示を受け付けた場合、前記記憶部に記憶された変更後の前記パラメータを元のパラメータに戻すことを特徴とする測定器のパラメータ設定方法。
【請求項２】
前記パラメータの変更を受け付ける工程では、変更後の前記パラメータを前記記憶部に一時的に記憶し、
変更後の前記パラメータを前記測定器へ送信する工程では、前記記憶部に記憶された変更後の前記パラメータを読み出して前記測定器へ送信することを特徴とする請求項１記載の測定器のパラメータ設定方法。
【請求項３】
変更後の前記パラメータを前記測定器へ送信する工程では、前記記憶部に記憶された全ての前記設定項目に対応した前記パラメータを読み出して一括して前記測定器へ送信することを特徴とする請求項２記載の測定器のパラメータ設定方法。
【請求項４】
前記設定項目を前記画面に表示する工程では、前記測定器に取り付けられるアタッチメントの種類を選択する項目を表示し、
前記パラメータの変更を受け付ける工程では、前記アタッチメントの種類に対応した寸法を受け付けて、前記アタッチメントを用いて測定する際に用いる演算の係数を前記寸法から算出することを特徴とする請求項１〜３のいずれか１つに記載の測定器のパラメータ設定方法。
【請求項５】
前記コンピュータでのみ前記パラメータを変更可能とする前記設定項目に対応したアイコンを前記画面に表示する工程をさらに備えたことを特徴とする請求項１〜４のいずれか１つに記載の測定器のパラメータ設定方法。
【請求項６】
前記設定項目と対応して前記パラメータの変更を禁止するか否かを前記コンピュータでのみ選択可能とする禁止可否選択項目を前記画面に表示する工程と、
前記禁止可否選択項目において前記パラメータの変更を禁止する設定を受け付けた場合、前記禁止可否選択項目と対応する前記設定項目の前記パラメータの変更を前記測定器で禁止する旨の情報を前記コンピュータから前記測定器へ送信する工程と、
をさらに備えたことを特徴とする請求項１〜５のいずれか１つに記載の測定器のパラメータ設定方法。
【請求項７】
前記記憶部に一時的に記憶された前記設定項目及び前記設定項目に対応した前記パラメータを前記画面に一覧表示する一覧表示アイコンを前記画面に表示する工程をさらに備えたことを特徴とする請求項１〜６のいずれか１つに記載の測定器のパラメータ設定方法。
【請求項８】
前記パラメータの変更を受け付ける工程では、変更された前記パラメータの前記設定項目を、前記パラメータの変更されていない前記設定項目とは異なる態様で前記画面に表示することを特徴とする請求項１〜７のいずれか１つに記載の測定器のパラメータ設定方法。
【請求項９】
測定器とコンピュータとを接続し、前記コンピュータの画面上で操作を受け付けて前記測定器の測定に関するパラメータを設定するプログラムであって、
前記コンピュータを、
前記測定器に記憶された機種情報、測定に関する設定項目及び前記設定項目に対応したパラメータを読み出して、前記コンピュータの記憶部に一時的に記憶する手段、
前記機種情報に対応した前記測定器の外観画像を前記画面に表示するとともに、前記画面上で操作を選択するためのアイコンを前記画面上の前記外観画像の所定位置に対応付けして表示する手段、
前記アイコンの選択を受け付けた場合、前記アイコンに対応付けされた前記所定位置と関連する前記測定器での操作によって選択可能となる前記設定項目を前記画面に表示する手段、
前記設定項目に対応した前記パラメータの変更を受け付ける手段、
変更後の前記パラメータを前記測定器へ送信する手段、
として機能させ、
前記パラメータの変更を受け付ける手段では、変更後の前記パラメータを前記記憶部に一時的に記憶した後、取消指示を受け付けた場合、前記記憶部に記憶された変更後の前記パラメータを元のパラメータに戻すことを特徴とする測定器のパラメータ設定プログラム。
【請求項１０】
前記パラメータの変更を受け付ける手段では、変更後の前記パラメータを前記記憶部に一時的に記憶し、
変更後の前記パラメータを前記測定器へ送信する手段では、前記記憶部に記憶された変更後の前記パラメータを読み出して前記測定器へ送信することを特徴とする請求項９記載の測定器のパラメータ設定プログラム。
【請求項１１】
変更後の前記パラメータを前記測定器へ送信する手段では、前記記憶部に記憶された全ての前記設定項目に対応した前記パラメータを読み出して一括して前記測定器へ送信することを特徴とする請求項１０記載の測定器のパラメータ設定プログラム。
【請求項１２】
前記設定項目を前記画面に表示する手段では、前記測定器に取り付けられるアタッチメントの種類を選択する項目を表示し、
前記パラメータの変更を受け付ける手段では、前記アタッチメントの種類に対応した寸法を受け付けて、前記アタッチメントを用いて測定する際に用いる演算の係数を前記寸法から算出することを特徴とする請求項１０または１１に記載の測定器のパラメータ設定プログラム。
【請求項１３】
前記コンピュータでのみ前記パラメータを変更可能とする前記設定項目に対応したアイコンを前記画面に表示する手段をさらに備えたことを特徴とする請求項１０〜１２のいずれか１つに記載の測定器のパラメータ設定プログラム。
【請求項１４】
前記設定項目と対応して前記パラメータの変更を禁止するか否かを前記コンピュータでのみ選択可能とする禁止可否選択項目を前記画面に表示する手段と、
前記禁止可否選択項目において前記パラメータの変更を禁止する設定を受け付けた場合、前記禁止可否選択項目と対応する前記設定項目の前記パラメータの変更を前記測定器で禁止する旨の情報を前記コンピュータから前記測定器へ送信する手段と、
をさらに備えたことを特徴とする請求項１０〜１３のいずれか１つに記載の測定器のパラメータ設定プログラム。
【請求項１５】
前記記憶部に一時的に記憶された前記設定項目及び前記設定項目に対応した前記パラメータを前記画面に一覧表示する一覧表示アイコンを前記画面に表示する手段をさらに備えたことを特徴とする請求項１０〜１４のいずれか１つに記載の測定器のパラメータ設定プログラム。
【請求項１６】
前記パラメータの変更を受け付ける手段では、変更された前記パラメータの前記設定項目を、前記パラメータの変更されていない前記設定項目とは異なる態様で前記画面に表示することを特徴とする請求項１０〜１５のいずれか１つに記載の測定器のパラメータ設定プログラム。
【発明の詳細な説明】
【技術分野】
【０００１】
本発明は、測定器に記憶される各種のパラメータの設定を行う測定器のパラメータ設定方法及び測定器のパラメータ設定プログラムに関する。
【背景技術】
【０００２】
測定子の変位量によって対象物の高さなどを測定する測定器においては、近年、測定値を液晶パネルなどに表示するデジタル式が多く用いられている。デジタル式の測定器においては、様々な測定モードに応じた測定条件、表示設定など、各種のパラメータを設定することで、ユーザの選択した測定モードで正確かつ容易な測定を行うことができるようになっている。
【０００３】
特許文献１には、変位検出測定機からコンピュータへ測定データを入力し、コンピュータのモニタに測定データと変位検出測定機のモデル画像とを表示して、変位検出測定機の状態を常にモニタ上で確認できるシステムが開示されている。
【０００４】
また、特許文献２には、可搬式測定ゲージとリモート装置とを接続して、可搬式測定ゲージのディスプレイ表示を、外部のリモート装置で行う構成が開示されている。
【先行技術文献】
【特許文献】
【０００５】
【特許文献１】特開２００５−２３３８０１号公報
【特許文献２】特開２０１４−０３２１９５号公報
【発明の概要】
【発明が解決しようとする課題】
【０００６】
しかしながら、例えば手で持てるような小型の測定器においては、液晶パネル等の表示部の大きさが小さく、ボタンの配置や数にも制限がある。このため、測定器で各種パラメータを設定するには、操作性が劣るという問題がある。特に、豊富な機能を備えた測定器では、事前に多くのパラメータを設定しておく必要がある。また、一旦設定したパラメータを変更したい場合もある。このような場合、何回もボタンを操作しなければならない。このように、ボタン操作によってパラメータの設定や変更を行うことはできるものの、小さな表示部を参照しながらでは、操作しにくいという問題がある。
【０００７】
本発明の目的は、測定器のパラメータ設定を容易に行うことができる測定器のパラメータ設定方法及び測定器のパラメータ設定プログラムを提供することである。
【課題を解決するための手段】
【０００８】
本発明の測定器のパラメータ設定方法は、測定器とコンピュータとを接続し、コンピュータの画面上で操作を受け付けて測定器の測定に関するパラメータを設定する方法であって、測定器に記憶された機種情報、測定に関する設定項目及び設定項目に対応したパラメータを読み出して、コンピュータの記憶部に一時的に記憶する工程と、機種情報に対応した測定器の外観画像を画面に表示するとともに、画面上で操作を選択するためのアイコンを画面上の外観画像の所定位置に対応付けして表示する工程と、アイコンの選択を受け付けた場合、アイコンに対応付けされた所定位置と関連する測定器での操作によって選択可能となる設定項目を画面に表示する工程と、設定項目に対応したパラメータの変更をコンピュータで受け付ける工程と、変更後のパラメータをコンピュータから測定器へ送信する工程と、を備えたことを特徴とする。
【０００９】
このような構成によれば、測定器に記憶された機種情報、設定項目及びパラメータをコンピュータで読み取り、コンピュータの画面上の操作によってパラメータの変更を行うことができる。本発明では、コンピュータの画面上に測定器の外観画像が表示され、この外観画像の所定位置に対応してアイコンを表示している。ユーザは、コンピュータの画面に表示されたアイコンを選択することで、実際の測定器を操作した場合と同様な動作の流れによって設定項目を選択でき、画面を参照しながらパラメータを変更することができる。
【００１０】
本発明の測定器のパラメータ設定方法において、パラメータの変更を受け付ける工程では、変更後のパラメータを記憶部に一時的に記憶することを含み、変更後のパラメータを測定器へ送信する工程は、記憶部に記憶された変更後のパラメータを読み出して測定器へ送信するようにしてもよい。このような構成によれば、変更後のパラメータを記憶部に一時的に記憶しておき、所定の指示を待ってから測定器へ送信することができる。
【００１１】
本発明の測定器のパラメータ設定方法において、変更後のパラメータを測定器へ送信する工程では、記憶部に記憶された全ての設定項目に対応したパラメータを読み出して一括して測定器へ送信するようにしてもよい。このような構成によれば、変更後のパラメータを所定の指示を待ってから一括して測定器へ送信することができる。
【００１２】
本発明の測定器のパラメータ設定方法において、パラメータの変更を受け付ける工程では、変更後のパラメータを記憶部に一時的に記憶した後、取消指示を受け付けた場合、記憶部に記憶された変更後のパラメータを元のパラメータに戻すようにしてもよい。このような構成によれば、記憶部に一時的に記憶した変更後のパラメータについて、取消指示があった場合には、元のパラメータに戻すことができる。
【００１３】
本発明の測定器のパラメータ設定方法において、設定項目を画面に表示する工程では、測定器に取り付けられるアタッチメントの種類を選択する項目を表示し、パラメータの変更を受け付ける工程では、アタッチメントの種類に対応した寸法を受け付けて、アタッチメントを用いて測定する際に用いる演算の係数を前記寸法から算出してもよい。
【００１４】
このような構成によれば、測定器に取り付けたアタッチメントの種類に対応して、このアタッチメントを用いて測定する際の演算の係数を自動的に算出することができる。これにより、アタッチメントを取り替えた場合でも、容易に演算の係数を設定することができる。
【００１５】
本発明の測定器のパラメータ設定方法において、コンピュータでのみパラメータを変更可能とする設定項目に対応したアイコンを画面に表示する工程をさらに備えていてもよい。このような構成によれば、測定器では変更できないパラメータをコンピュータでのみ変更することができようになる。
【００１６】
本発明の測定器のパラメータ設定方法において、設定項目と対応してパラメータの変更を禁止するか否かをコンピュータでのみ選択可能とする禁止可否選択項目を画面に表示する工程と、禁止可否選択項目においてパラメータの変更を禁止する設定を受け付けた場合、禁止可否選択項目と対応する設定項目のパラメータの変更を測定器で禁止する旨の情報をコンピュータから測定器へ送信する工程と、をさらに備えていてもよい。
【００１７】
このような構成によれば、コンピュータで禁止可否選択項目に対応した設定項目のパラメータ変更を禁止する設定を行うと、測定器でのパラメータの変更を不可能にする、すなわちパラメータの変更に関してロックをかけることができる。
【００１８】
本発明の測定器のパラメータ設定方法において、記憶部に一時的に記憶された設定項目及び設定項目に対応したパラメータを画面に一覧表示する一覧表示アイコンを画面に表示する工程をさらに備えていてもよい。このような構成によれば、測定器の設定項目及びパラメータの一覧をコンピュータの画面に表示させることができる。
【００１９】
本発明の測定器のパラメータ設定方法において、パラメータの変更を受け付ける工程では、変更されたパラメータの設定項目を、パラメータの変更されていない設定項目とは異なる態様で画面に表示するようにしてもよい。このような構成によれば、パラメータが変更された設定項目を画面表示で容易に把握することができる。
【００２０】
本発明の測定器のパラメータ設定プログラムは、測定器とコンピュータとを接続し、コンピュータの画面上で操作を受け付けて測定器の測定に関するパラメータを設定するプログラムであって、コンピュータを、測定器に記憶された機種情報、測定に関する設定項目及び設定項目に対応したパラメータを読み出して、コンピュータの記憶部に一時的に記憶する手段、機種情報に対応した測定器の外観画像を画面に表示するとともに、画面上で操作を選択するためのアイコンを画面上の外観画像の所定位置に対応付けして表示する手段、アイコンの選択を受け付けた場合、アイコンに対応付けされた所定位置と関連する測定器での操作によって選択可能となる設定項目を画面に表示する手段、設定項目に対応したパラメータの変更を受け付ける手段、変更後のパラメータを測定器へ送信する手段、として機能させることを特徴とする。
【００２１】
このような構成によれば、コンピュータで実行されるプログラムによって、測定器に記憶された機種情報、設定項目及びパラメータを読み取り、コンピュータの画面上の操作によってパラメータの変更を行うことができる。本発明では、コンピュータの画面上に測定器の外観画像が表示され、この外観画像の所定位置に対応してアイコンを表示している。ユーザは、コンピュータの画面に表示されたアイコンを選択することで、実際の測定器を操作した場合と同様な動作の流れによって設定項目を選択でき、画面を参照しながらパラメータを変更することができる。
【００２２】
本発明の測定器のパラメータ設定プログラムにおいて、パラメータの変更を受け付ける手段では、変更後のパラメータを記憶部に一時的に記憶し、変更後のパラメータを測定器へ送信する手段では、記憶部に記憶された変更後のパラメータを読み出して測定器へ送信してもよい。このような構成によれば、変更後のパラメータを記憶部に一時的に記憶しておき、所定の指示を待ってから測定器へ送信することができる。
【００２３】
本発明の測定器のパラメータ設定プログラムにおいて、変更後のパラメータを測定器へ送信する手段では、記憶部に記憶された全ての設定項目に対応したパラメータを読み出して一括して測定器へ送信するようにしてもよい。このような構成によれば、変更後のパラメータを所定の指示を待ってから一括して測定器へ送信することができる。
【００２４】
本発明の測定器のパラメータ設定プログラムにおいて、パラメータの変更を受け付ける手段では、変更後のパラメータを記憶部に一時的に記憶した後、取消指示を受け付けた場合、記憶部に記憶された変更後のパラメータを元のパラメータに戻すようにしてもよい。このような構成によれば、記憶部に一時的に記憶した変更後のパラメータについて、取消指示があった場合には、元のパラメータに戻すことができる。
【００２５】
本発明の測定器のパラメータ設定プログラムにおいて、設定項目を画面に表示する手段では、測定器に取り付けられるアタッチメントの種類を選択する項目を表示し、パラメータの変更を受け付ける手段では、アタッチメントの種類に対応した寸法を受け付けて、アタッチメントを用いて測定する際に用いる演算の係数を寸法から算出するようにしてもよい。
【００２６】
このような構成によれば、測定器に取り付けたアタッチメントの種類に対応して、このアタッチメントを用いて測定する際の演算の係数を自動的に算出することができる。これにより、アタッチメントを取り替えた場合でも、容易に演算の係数を設定することができる。
【００２７】
本発明の測定器のパラメータ設定プログラムにおいて、コンピュータでのみパラメータを変更可能とする設定項目に対応したアイコンを画面に表示する手段をさらに備えていてもよい。このような構成によれば、測定器では変更できないパラメータをコンピュータでのみ変更することができようになる。
【００２８】
本発明の測定器のパラメータ設定プログラムにおいて、設定項目と対応してパラメータの変更を禁止するか否かをコンピュータでのみ選択可能とする禁止可否選択項目を画面に表示する手段と、禁止可否選択項目においてパラメータの変更を禁止する設定を受け付けた場合、禁止可否選択項目と対応する設定項目のパラメータの変更を測定器で禁止する旨の情報をコンピュータから測定器へ送信する手段と、をさらに備えていてもよい。
【００２９】
このような構成によれば、コンピュータで禁止可否選択項目に対応した設定項目のパラメータ変更を禁止する設定を行うと、測定器でのパラメータの変更を不可能にする、すなわちパラメータの変更に関してロックをかけることができる。
【００３０】
本発明の測定器のパラメータ設定プログラムにおいて、記憶部に一時的に記憶された設定項目及び設定項目に対応したパラメータを画面に一覧表示する一覧表示アイコンを画面に表示する手段をさらに備えていてもよい。このような構成によれば、測定器の設定項目及びパラメータの一覧をコンピュータの画面に表示させることができる。
【００３１】
本発明の測定器のパラメータ設定プログラムにおいて、パラメータの変更を受け付ける手段では、変更されたパラメータの設定項目を、パラメータの変更されていない設定項目とは異なる態様で画面に表示するようにしてもよい。このような構成によれば、パラメータが変更された設定項目を画面表示で容易に把握することができる。
【図面の簡単な説明】
【００３２】
【図１】本実施形態に係る測定器のパラメータ設定方法を説明する図である。
【図２】測定器のパラメータ設定プログラムの流れを例示するフローチャートである。
【図３】（ａ）〜（ｃ）は、外観画像の表示例を示す図である。
【図４】（ａ）〜（ｃ）は、「ＭＥＮＵ」アイコンが選択された場合の表示例を示す図である。
【図５】（ａ）〜（ｃ）は、「ＯＴＨＥＲ」アイコンが選択された場合の表示例を示す図である。
【図６】具体的な画面遷移の例と、パラメータ設定の例を示す図である。
【図７】具体的な画面遷移の例と、パラメータ設定の例を示す図である。
【図８】具体的な画面遷移の例と、パラメータ設定の例を示す図である。
【図９】具体的な画面遷移の例と、パラメータ設定の例を示す図である。
【図１０】具体的な画面遷移の例と、パラメータ設定の例を示す図である。
【図１１】具体的な画面遷移の例と、パラメータ設定の例を示す図である。
【図１２】具体的な画面遷移の例と、パラメータ設定の例を示す図である。
【発明を実施するための形態】
【００３３】
以下、本発明の実施形態を図面に基づいて説明する。なお、本願明細書と各図において、既出の図に関して前述したものと同様の要素には同一の符号を付して詳細な説明は適宜省略する。
【００３４】
図１は、本実施形態に係る測定器のパラメータ設定方法を説明する図である。図１（ａ）には測定器１０及びコンピュータ２０の接続状態が表され、図１（ｂ）にはコンピュータ２０のブロック構成図が表される。
【００３５】
図１（ａ）に表したように、本実施形態に係る測定器１０のパラメータ設定方法は、測定器１０とコンピュータ２０とを接続し、コンピュータ２０のモニタ２２上で操作を受け付けて測定器１０の測定に関するパラメータを設定する方法である。測定器１０とコンピュータ２０とは、例えばケーブル３０によって接続される。なお、測定器１０とコンピュータ２０との間に変換器（図示せず）を設けてもよい。変換器は、測定器１０とコンピュータ２０との間のデータ構造及び通信規格を整合させる機能を有する。また、測定器１０とコンピュータ２０とは無線通信によって接続されてもよい。
【００３６】
測定器１０は、測定子１５の変位量に基づく測定値を表示部１２に表示するインジケータである。測定器１０は、略円形の正面を有する本体筐体１１を備える。本体筐体１１の下側には、本体筐体１１に対して進退可能に設けられたスピンドル１６が延出している。このスピンドル１６の先端には測定子１５が取り付けられる。測定子１５を対象物の測定点に接触させることで測定点の高さに応じてスピンドル１６が縮むことになる。このスピンドル１６の縮む量、すなわち測定子１５の変位量に応じた測定値や演算によって求められる値が表示部１２に表示される。
【００３７】
本体筐体１１の正面には複数のボタン１３が設けられる。複数のボタン１３を適宜操作することで、測定モードや設定モードなどの切り替えや、測定に関する各種のパラメータの設定（新たな設定及び変更を含む。）を行うことができる。
【００３８】
本実施形態では、測定器１０と接続したコンピュータ２０によって、測定器１０のパラメータを設定することができる。コンピュータ２０は、本体２１及びモニタ２２を有する。図１（ｂ）に表したように、コンピュータ２０は、ＣＰＵ（Central Processing Unit）２１１、インタフェース２１２、出力部２１３、入力部２１４、主記憶部２１５及び副記憶部２１６を備える。
【００３９】
ＣＰＵ２１１は、各種プログラムの実行によって各部を制御する。インタフェース２１２は、外部機器との情報入出力を行う部分である。本実施形態では、測定器１０から送られる情報をインタフェース２１２を介してコンピュータ２０に取り込む。また、コンピュータ２０からインタフェース２１２を介して情報を測定器１０へ送る。インタフェース２１２は、コンピュータ２０をＬＡＮ（Local Area Network）やＷＡＮ（Wide Area Network）に接続する部分でもある。
【００４０】
出力部２１３は、コンピュータ２０で処理した結果を出力する部分である。出力部２１３には、例えば、図１（ａ）に示すモニタ２２や、プリンタなどが用いられる。入力部２１４は、ユーザから情報を受け付ける部分である。入力部２１４には、キーボードやマウスなどが用いられる。また、入力部２１４は、記録媒体ＭＭに記録された情報を読み取る機能を含む。
【００４１】
主記憶部２１５には、例えばＲＡＭ（Random Access Memory）が用いられる。主記憶部２１５の一部として、副記憶部２１６の一部が用いられてもよい。副記憶部２１６には、例えばＨＤＤ（Hard disk drive）やＳＳＤ（Solid State Drive）が用いられる。副記憶部２１６は、ネットワークを介して接続された外部記憶装置であってもよい。
【００４２】
本実施形態に係る測定器１０のパラメータ設定方法は、先ず、測定器１０とコンピュータ２０とを接続し、測定器１０に記憶された機種情報、測定に関する設定項目及びこの設定項目に対応したパラメータを読み出し、コンピュータ２０の記憶部（例えば、主記憶部２１５）に一時的に記憶する。
【００４３】
次に、コンピュータ２０において、測定器１０から読み出した機種情報に基づき、測定器１０の外観画像Ｇをモニタ２２に表示する。モニタ２２に表示される外観画像Ｇのデータは、予めコンピュータ２０の副記憶部２１６等に機種情報と対応付けして記憶されている。コンピュータ２０は、機種情報と対応する外観画像Ｇのデータを副記憶部２１６から読み出してモニタ２２に表示させる。なお、外観画像Ｇのデータは、機種情報をキーとして外部のサーバ（ネットワークサーバ等）からコンピュータ２０へダウンロードするようにしてもよい。
【００４４】
モニタ２２には、コンピュータ２０と接続された測定器１０の外観と同等な外観画像Ｇが表示される。説明の都合上、図１（ａ）のモニタ２２に表示される外観画像Ｇの大きさは、測定器１０の大きさよりも小さく表されているが、実際には測定器１０よりも大きな外観画像Ｇがモニタ２２に表示される。また、モニタ２２上での外観画像Ｇの大きさは任意に拡大縮小することができる。
【００４５】
コンピュータ２０は、モニタ２２に外観画像Ｇを表示するとともに、ユーザがモニタ２２上で操作を選択するためのアイコンＧＣを表示する。アイコンＧＣは、モニタ２２に表示された外観画像Ｇの所定位置と対応付けされている。アイコンＧＣは、そのアイコンＧＣと対応付けされた所定位置における実際の測定器１０の位置と関連した操作を選択できるようになっている。
【００４６】
例えば、アイコンＧＣ１３１が外観画像Ｇのボタン画像Ｇ１３１を示す場合、そのアイコンＧＣ１３１は、ボタン画像Ｇ１３１と対応する実際の測定器１０のボタン１３１によって操作可能な動作が割り当てられている。これにより、ユーザは、実際の測定器１０を操作するのと同様な位置に対応付けされたアイコンＧＣを選択することで、実際の測定器１０と同様な動作をモニタ２２上で得られることになる。
【００４７】
次に、コンピュータ２０は、ユーザによるアイコンＧＣの選択を受け付けた場合、そのアイコンＧＣに対応付けされた所定位置と関連する測定器１０での操作によって選択可能となる設定項目をモニタ２２に表示させる。
【００４８】
そして、コンピュータ２０は、モニタ２２に表示された設定項目に対応したパラメータの設定を受け付けて、変更後のパラメータを測定器１０へ送信する。これにより、ユーザは、コンピュータ２０のモニタ２２に表示されたアイコンＧＣを選択することで、実際の測定器１０を操作した場合と同様な動作の流れによって設定項目を選択でき、モニタ２２を参照しながら所望のパラメータを変更して測定器１０に送ることができる。ユーザは、測定器１０の表示部１２よりも大きなモニタ２２を参照しながら、アイコンＧＣの選択によって容易にパラメータの設定を行うことができることになる。
【００４９】
本実施形態に係る測定器１０のパラメータ設定方法は、例えば、コンピュータ２０で実行されるプログラム（パラメータ設定プログラム）によって実現される。
【００５０】
図２は、測定器のパラメータ設定プログラムの流れを例示するフローチャートである。
先ず、ステップＳ１０１に表した情報の読み込みでは、コンピュータ２０と接続された測定器１０から、測定器１０に記憶された機種情報、設定項目及びパラメータをコンピュータ２０に読み込む処理を行う。コンピュータ２０は、インタフェース２１２を介して測定器１０に指示を与え、測定器１０から送られる情報をインタフェース２１２を介して読み込む。
【００５１】
次に、ステップＳ１０２に表した情報の一時記憶では、測定器１０から読み出した機種情報、設定項目及びパラメータをコンピュータ２０の記憶部に一時的に記憶する処理を行う。コンピュータ２０は、インタフェース２１２を介して読み込んだこれらの情報を、例えば主記憶部２１５に一時的に記憶する。
【００５２】
次に、ステップＳ１０３に表した外観画像の表示では、機種情報に対応した測定器１０の外観画像Ｇをモニタ２２に表示する処理を行う。また、ステップＳ１０４に表したアイコンの表示では、外観画像Ｇの表示とともに、モニタ２２上で操作を選択するためのアイコンＧＣを、外観画像Ｇの所定位置に対応付けして表示する処理を行う。これにより、図１（ａ）に表したように、実際の測定器１０に対応した外観画像Ｇ及びアイコンＧＣがモニタ２２に表示される。
【００５３】
次に、ステップＳ１０５に表したアイコン選択の受け付けでは、モニタ２２に表示されたアイコンＧＣのユーザによる選択を受け付ける処理を行う。ユーザは、モニタ２２の表示を参照しながら、所望のアイコンＧＣをマウス等の操作（ボタンクリック等）によって選択する。コンピュータ２０は、このアイコンＧＣの選択を受け付ける。
【００５４】
次に、ステップＳ１０６に表した設定項目の表示では、選択されたアイコンＧＣに対応付けされた所定位置と関連する測定器１０での操作によって選択可能となる設定項目をモニタ２２に表示する処理を行う。ユーザは、所望のアイコンＧＣをマウス等によって選択することで、実際の測定器１０を操作したのと同様な設定項目をモニタ２２上に表示させることができる。
【００５５】
次に、ステップＳ１０７に表したパラメータの受け付けでは、モニタ２２に表示された設定項目に対応したパラメータの変更を受け付ける処理を行う。ユーザは、モニタ２２の表示を参照しながら、所望の設定項目に対応したパラメータの設定を行う。コンピュータ２０は、ユーザの設定したパラメータを受け付ける。
【００５６】
次に、ステップＳ１０８に表したパラメータの一時記憶では、ユーザの設定したパラメータを、例えば主記憶部２１５に一時的に記憶する処理を行う。なお、新たなパラメータを一時的に記憶した後、ユーザによってキャンセルの指示があった場合、元のパラメータに戻すようにしてもよい。
【００５７】
次に、ステップＳ１０９に表したパラメータの送信では、一時的に記憶した新たなパラメータを測定器１０に送信する処理を行う。コンピュータ２０は、インタフェース２１２を介して例えば主記憶部２１５に記憶された新たなパラメータを測定器１０へ送信する。測定器１０は、コンピュータ２０から送信された新たなパラメータを受信して記憶する。
【００５８】
このようなプログラムによって、ユーザはモニタ２２に表示された内容を参照しながら、所望の設定項目のパラメータを容易に設定することが可能になる。また、モニタ２２には、実際の測定器１０と同様な外観画像Ｇが表示され、実際の測定器１０の操作と同様な操作をアイコンＧＣの選択によって行うことができる。したがって、優れたＧＵＩ（Graphical User Interface）によって、ユーザは違和感なくパラメータを設定していくことができる。
【００５９】
なお、図２に示したフローチャートでは、ステップＳ１０８に示す設定したパラメータの一時記憶を行っているが、このステップＳ１０８を行わず、ステップＳ１０７に示すパラメータの受け付けを行った後、ステップＳ１０９の送信により、新たなパラメータを迅速に測定器１０へ送信するようにしてもよい。
【００６０】
次に、具体的なモニタ２２の画面遷移について説明する。
図３（ａ）〜（ｃ）は、外観画像の表示例を示す図である。図３（ａ）には機種ＩＤ１の外観画像Ｇ１が表され、図３（ｂ）には機種ＩＤ２の外観画像Ｇ２が表され、図３（ｃ）には機種ＩＤ３の外観画像Ｇ３が表される。
【００６１】
コンピュータ２０は、測定器１０の機種情報を読み込み、この機種情報に基づいて測定器１０の外観画像Ｇをモニタ２２に表示する。例えば、図３（ａ）に表した機種ＩＤ１は、測定値に基づき演算を行うことができる演算型である。また、図３（ｂ）に表した機種ＩＤ２は、測定値のピークを検出するピーク検出型である。また、図３（ｃ）に表した機種ＩＤ３は、内径や外径を測定するシリンダゲージ型である。
【００６２】
また、コンピュータ２０は、機種情報に基づき、測定器１０の機種に応じて必要なアイコンＧＣをモニタ２２に表示する。機種毎に設定項目が異なることから、モニタ２２には機種に応じた外観画像Ｇ１〜Ｇ３及びその機種に必要なアイコンＧＣが表示されることになる。
【００６３】
図３（ａ）〜（ｃ）に示すアイコンＧＣの表示は、外観画像Ｇ１〜Ｇ３のそれぞれのボタンの位置に対応している。したがって、モニタ２２上で所望のアイコンＧＣを選択すると、そのアイコンＧＣと対応する測定器１０のボタン１３が選択された場合と同様な動作がモニタ２２上で行われることになる。
【００６４】
また、モニタ２２には、メニューＭを表示させてもよい。メニューＭにも機能を選択するアイコンＭＣが表示される。メニューＭには、アプリケーションで共通の機能を実行させるためのアイコンＭＣが表示される。
【００６５】
図４（ａ）〜（ｃ）は、「ＭＥＮＵ」アイコンが選択された場合の表示例を示す図である。図４（ａ）には機種ＩＤ１の表示例が表され、図４（ｂ）には機種ＩＤ２の表示例が表され、図４（ｃ）には機種ＩＤ３の表示例が表される。
【００６６】
「ＭＥＮＵ」アイコンを選択することで、モニタ２２には外観画像Ｇ１〜Ｇ３のそれぞれに対応した設定項目のアイコンＧＣが表示される。モニタ２２に表示されるアイコンＧＣは、外観画像Ｇ１〜Ｇ３のそれぞれの機種において選択可能な設定項目だけである。
【００６７】
図５（ａ）〜（ｃ）は、「ＯＴＨＥＲ」アイコンが選択された場合の表示例を示す図である。図５（ａ）には機種ＩＤ１の表示例が表され、図５（ｂ）には機種ＩＤ２の表示例が表され、図５（ｃ）には機種ＩＤ３の表示例が表される。
【００６８】
「ＯＴＨＥＲ」アイコンを選択することで、モニタ２２には外観画像Ｇ１〜Ｇ３のそれぞれに対応したその他の設定項目のアイコンＧＣが表示される。モニタ２２には、外観画像Ｇ１〜Ｇ３のそれぞれの機種において選択可能なその他の設定項目のアイコンＧＣのみが表示される。「ＯＴＨＥＲ」アイコンの選択によって、主要な設定項目以外の設定項目のアイコンＧＣが表示される。
【００６９】
次に、具体的な画面遷移に沿ったパラメータの設定について説明する。
図６〜図１２は、具体的な画面遷移の例と、パラメータ設定の例を示す図である。
【００７０】
先ず、コンピュータ２０でパラメータ設定プログラムを起動すると、図６（ａ）に表したように、基本画面が立ち上がる。基本画面では、メニューＭに「測定器と接続」のアイコンＭＣが表示される。
【００７１】
次に、メニューＭの「測定器と接続」のアイコンＭＣを選択すると、図６（ｂ）に表したように、測定器１０との接続を促すウィンドウがポップアップ表示される。測定器１０とコンピュータ２０とを例えばケーブル３０で接続した状態で、「ＯＫ」ボタンを選択すると、コンピュータ２０に測定器１０から送られる機種情報、設定項目及びパラメータが読み込まれる。
【００７２】
そして、図６（ｃ）に表したように、コンピュータ２０に読み込まれた機種情報に基づき外観画像Ｇ及びその機種に応じたアイコンＧＣがモニタ２２に表示される。また、外観画像Ｇ及びアイコンＧＣの表示とともに、メニューＭの各種アイコンＭＣが表示される。
【００７３】
機種ＩＤ１では、外観画像Ｇ１のボタンの位置に対応して、「ＭＥＮＵ」、「ＰＥＡＫ」、「ＰＲＥＳＥＴ」、「ｉｎ／ｍｍ」、「ＺＥＲＯ，ＡＢＳ」のアイコンＧＣが表示される。また、メニューＭとして、「測定器と接続」のアイコンＭＣのほか、「全項目確認」、「設定情報保存」、「設定情報呼出」、「通信終了」のアイコンＭＣが表示される。
【００７４】
なお、以下の説明では、演算型である機種ＩＤ１における画面遷移及びパラメータ設定を例とするが、適宜、機種ＩＤ２及び機種ＩＤ３における画面遷移及びパラメータ設定の例についても示す。機種ＩＤ２の場合、測定器１０をコンピュータ２０に接続すると、図３（ｂ）に例示する外観画像Ｇ２が表示され、機種ＩＤ３の場合、図３（ｃ）に例示する外観画像Ｇ３が表示されることになる。
【００７５】
次に、代表的なアイコンＧＣ及びＭＣを選択した場合の画面遷移について説明する。
図６（ｃ）に示す「ＭＥＮＵ」アイコンＧＣを選択すると、図７（ａ）に表したような画面が表示される。機種ＩＤ１の場合、「ＴＯＬ」、「ＲＥＳ」、「ＣＡＬＣ」、「ＳＣＡＬＥ」、「ＬＯＣＫ」、「ＯＴＨＥＲ」、「戻る」のアイコンＧＣが表示される。
【００７６】
どの画面であっても、「戻る」のアイコンＧＣを選択した場合には、一つ前の画面表示へ戻ることができる。「ＯＴＨＥＲ」のアイコンＧＣを選択すると、図７（ｂ）に表したような画面が表示される。機種ＩＤ１では、「無単位表示設定（ＵＮＩＴ）」、「オリジンオフセット設定（ＯＦＦＳＥＴ）」、「アナログバー表示設定（ＲＵＬＥＲ）」、「高速サンプリングモード設定（ＦＡＳＴ）」、「パラメータロック」のアイコンＧＣが表示される。
【００７７】
ここで、メニューＭから「通信終了」のアイコンＭＣを選択すると、図７（ｃ）に表したような通信終了を確認するウィンドウがポップアップ表示される。このウィンドウにおいて「ＯＫ」のアイコンＧＣを選択すると、通信終了となる。一方、「ＣＡＮＣＥＬ」のアイコンＧＣを選択すると、通信終了せず、ポップアップしたウィンドウが閉じる。
【００７８】
図６（ｃ）に表した「ＰＥＡＫ」のアイコンＧＣを選択すると、図８（ａ）に表したようなピーク設定のためのウィンドウがポップアップ表示される。ピーク設定のためのウィンドウには、測定モードを選択するためのラジオボタンが表示される。所望の測定モードを示すラジオボタンを選択した後、「確定」のアイコンＧＣを選択すると、設定したパラメータ（測定モード）が測定器１０へ送信される。コンピュータ２０から測定器１０へパラメータを送信することで、測定器１０では新たなパラメータの設定が行われる。
【００７９】
また、「一時保存」のアイコンＧＣを選択すると、設定したパラメータ（測定モード）をコンピュータ２０の記憶部（例えば、主記憶部２１５）に一時的に記憶しつつ、ウィンドウが閉じられる。ここで、一時的な記憶だけでは、パラメータは測定器１０へ送信されない。「ＣＡＮＣＥＬ」のアイコンＧＣを選択した場合には、何もせずにウィンドウを閉じる。この場合、設定項目は元のパラメータのまま維持される。
【００８０】
図６（ｃ）に表した「ＰＲＥＳＥＴ」のアイコンＧＣを選択すると、図８（ｂ）に表したようなプリセット設定のためのウィンドウがポップアップ表示される。プリセット設定のためのウィンドウには、プリセット番号（ＰＲＥＳＥＴ  Ｎｏ．）を選択するためのラジオボタンと、プリセット値（ＰＲＥＳＥＴ値）を入力するためのテキストボックスとが表示される。ここで、単位の表示は、測定器１０からコンピュータ２０にパラメータを読み込んだ際の設定に合わせられている。読み込んだ後に単位のパラメータが変更された場合には、変更後の単位で表示される。
【００８１】
プリセット設定のためのウィンドウでプリセットのパラメータを設定した後は、「確定」、「一時保存」、「ＣＡＮＣＥＬ」のいずれかを選択する。「確定」、「一時保存」、「ＣＡＮＣＥＬ」のアイコンＧＣを選択した場合の処理は、先と同様である。
【００８２】
ここで、図３（ｂ）に例示する機種ＩＤ２の外観画像Ｇ２において、「＋／−」のアイコンＧＣを選択すると、図８（ｃ）に表したような計数方向を設定するためのウィンドウがポップアップ表示される。ウィンドウには、計数値をプラスカウントする測定子の方向を選択するためのラジオボタンが表示される。プラスカウントしたい方向のラジオボタンを選択した後は、「確定」、「一時保存」、「ＣＡＮＣＥＬ」のいずれかを選択する。「確定」、「一時保存」、「ＣＡＮＣＥＬ」のアイコンＧＣを選択した場合の処理は、先と同様である。
【００８３】
図７（ａ）に表した「ＬＯＣＫ」のアイコンＧＣを選択すると、図９（ａ）に表したようなキーロックを設定するためのウィンドウがポップアップ表示される。このウィンドウには、キーロックの有効／無効を選択するためのラジオボタンが表示される。また、機種に応じた外観画像Ｇと、外観画像Ｇのボタンの位置と対応したボタン表示ＢＣとが表示される。各ボタン表示ＢＣの横にはチェックボックスが表示される。チェックボックスによって選択されたボタン表示ＢＣの示すボタンは、キーロックの有効／無効の設定に従ってキーロックの設定が行われることになる。
【００８４】
キーロックを設定のためのウィンドウでキーロックのパラメータを設定した後は、「確定」、「一時保存」、「ＣＡＮＣＥＬ」のいずれかを選択する。「確定」、「一時保存」、「ＣＡＮＣＥＬ」のアイコンＧＣを選択した場合の処理は、先と同様である。測定器１０において、キーロックを有効に設定されたボタンは押下されても反応しないことになる。
【００８５】
なお、キーロックの設定を行うボタンに対応したボタン表示ＢＣは、機種によって相違する。また、ここでキーロックの設定が行われたボタンについては、測定器１０側の所定の操作によってキーロックの解除が可能である。
【００８６】
図７（ｂ）に表した「パラメータロック」のアイコンＧＣを選択すると、図９（ｂ）に表したようなパラメータロックを設定するためのウィンドウがポップアップ表示される。このウィンドウには、パラメータロックの有効／無効を選択するためのラジオボタンが表示される。また、機種に応じたパラメータロックの対象となるパラメータのチェックボックスが表示される。
【００８７】
このパラメータロックは、先に説明したキーロックとは異なり、コンピュータ２０でのみパラメータの変更可否を決定するための設定である。コンピュータ２０でパラメータロックを指定されたパラメータについては、測定器１０側でパラメータロックを解除することはできない。パラメータロックを設定することで、測定器１０側で誤ってパラメータが変更されることを防止したり、測定器１０側で変更されたくないパラメータを保護したりすることができる。
【００８８】
図７（ａ）に表した「ＣＡＬＣ」のアイコンＧＣを選択すると、図１０に表したような演算機能を設定するためのウィンドウがポップアップ表示される。このウィンドウには、演算機能の有効／無効を選択するためのラジオボタンが表示される。また、演算係数Ａ、Ｂ及びＣのテキストボックスが表示される。演算係数Ａ、Ｂ及びＣのそれぞれの値は、「係数算出」のアイコンＧＣを選択し、所定の設定を行うことで自動算出させてもよい。
【００８９】
「係数算出」のアイコンＧＣを選択すると、図１１（ａ）に表したような治具を選択するためのウィンドウがポップアップ表示される。なお、治具は、本発明におけるアタッチメントの一例である。演算型の測定器１０では、測定器１０に装着する治具によって演算係数Ａ、Ｂ及びＣを設定し、治具を用いた測定内容によって所望の演算結果を得られるようにしている。
【００９０】
図１１（ａ）に表したウィンドウには、測定内容に応じて測定器１０に取り付けられる治具のイメージＩＭＧ１〜ＩＭＧ６と、選択のためのラジオボタンが表示される。
【００９１】
治具のイメージＩＭＧ１で表される測定内容は、穴径Ｄの測定である。この測定では、円錐型の測定子を有する治具が測定器１０に取り付けられる。ここで、測定子の円錐型が拡がる角度をθ、円錐型の測定子を穴の口元に当接させた際の基準位置から測定子の先端までの距離をｘとした場合、穴径Ｄは以下の計算式で求められる。
Ｄ＝Ａ×ｘ
演算係数Ａは、Ａ＝−２ｔａｎ（θ／２）
【００９２】
治具のイメージＩＭＧ２で表される測定内容は、皿モミの口元の穴径Ｄの測定である。この測定では、球型の測定子を有する治具が測定器１０に取り付けられる。ここで、測定子の球型の半径をｒ、皿モミの角度をθ、球型の測定子を皿モミ内に当接させた際の基準位置から測定子の先端までの距離をｘとした場合、穴径Ｄは以下の計算式で求められる。
Ｄ＝Ａｘ＋Ｂ
演算係数Ａは、Ａ＝−２ｔａｎ（θ／２）
演算係数Ｂは、Ｂ＝２ｒ（１／（ｃｏｓ（θ／２））−ｔａｎ（θ／２））
【００９３】
治具のイメージＩＭＧ３で表される測定内容は、皿モミの深さＨの測定である。この測定では、球型の測定子を有する治具が測定器１０に取り付けられる。ここで、測定子の球型の半径をｒ、皿モミの角度をθ、皿モミの奥穴の穴径をｄ、球型の測定子を皿モミ内に当接させた際の基準位置から測定子の先端までの距離をｘとした場合、深さＨは以下の計算式で求められる。
【００９４】
Ｈ＝Ａｘ＋Ｂ
演算係数Ａは、Ａ＝−１
演算係数Ｂは、Ｂ＝ｒ（１／（ｃｏｓ（θ／２））−１）−ｄ／２ｔａｎ（θ／２））
【００９５】
治具のイメージＩＭＧ４及びＩＭＧ５で表される測定内容は、丸物の外径（半径）である。測定の対象物によって好適な治具の形状が相違する。ここで、治具のイメージＩＭＧ４でのＶ字のアームの角度をθ、基準位置から測定子の先端までの距離をｘ、丸物の半径をＲとした場合、半径Ｒは以下の計算式で求められる。
【００９６】
Ｒ＝Ａｘ
演算係数Ａは、Ａ＝−（ｓｉｎ（θ／２））／（１−ｓｉｎ（θ／２））
【００９７】
また、治具のイメージＩＭＧ５での左右２つの接触球体の距離を２Ｌ、接触球体の半径をｒ、測定子が丸物の表面と当接した際の測定子と接触球体との距離をｘとした場合、丸物の半径Ｒは以下の計算式で求められる。
【００９８】
Ｒ＝Ａｘ＋Ｂ＋Ｃｘ−１
演算係数Ａは、１／２
演算係数Ｂは、−ｒ
演算係数Ｃは、Ｌ２／２
【００９９】
治具のイメージＩＭＧ６で表される測定内容は、丸物の内径（半径）である。この測定で用いられる治具は、イメージＩＭＧ５の測定で用いられた治具と同じである。ここで、治具のイメージＩＭＧ６での左右２つの接触球体の距離を２Ｌ、接触球体の半径をｒ、測定子が丸物の表面と当接した際の測定子と接触球体との距離をｘとした場合、丸物の半径Ｒは以下の計算式で求められる。
【０１００】
Ｒ＝Ａｘ＋Ｂ＋Ｃｘ−１
演算係数Ａは、−１／２
演算係数Ｂは、ｒ
演算係数Ｃは、−Ｌ２／２
【０１０１】
このように、選択する治具及び測定内容によって演算係数Ａ、Ｂ及びＣが異なるため、適用する測定内容に応じた演算係数Ａ、Ｂ及びＣを設定しておく必要がある。図１１（ａ）に表したウィンドウにおいて、例えば、治具のイメージＩＭＧ１のラジオボタンを選択し、「ＯＫ」のアイコンＧＣを選択すると、図１１（ｂ）に表したようなウィンドウがポップアップ表示される。
【０１０２】
このウィンドウには、ラジオボタンで選択されたイメージＩＭＧ１が表示される。これにより、そのイメージＩＭＧ１の治具による測定内容が選択されたことを容易に認識できる。また、イメージＩＭＧ１の治具によって測定する内容に応じて、演算係数Ａ、Ｂ及びＣの計算に必要なパラメータ（ここでは、θの値）を入力するためのテキストボックスが表示される。選択した測定内容の治具によって、このテキストボックスの表示項目は変わる。
【０１０３】
このテキストボックスにθの値を入力して、「計算」のアイコンＧＣを選択すると、ウィンドウ内の演算係数Ａ、Ｂ及びＣのテキストボックスに自動的に値が入力される。イメージＩＭＧ１の治具では、円錐型の角度θの値を入力すれば、測定内容に対応した演算係数Ａを示す式（ここでは、Ａ＝−２ｔａｎ（θ／２））によって自動的に演算係数Ａが計算され、テキストボックスに自動入力される。なお、計算式に用いられない係数（ここでは、演算係数Ｂ及びＣ）については、”０”が自動的に入力される。
【０１０４】
演算係数Ａ、Ｂ及びＣの計算を行った後、図１１（ｂ）に表したウィンドウにおいて「ＯＫ」のアイコンＧＣを選択すると、図１０に表したウィンドウ表示に戻る。計算後には、このウィンドウの演算係数Ａ、Ｂ及びＣに先の計算結果が入力されることになる。
【０１０５】
図６（ｃ）に表したメニューＭの「設定情報保存」のアイコンＭＣを選択すると、コンピュータ２０の記憶部（例えば、主記憶部２１５）に一時保存されたパラメータを、例えばテキストデータ（パラメータセット）としてコンピュータ２０の記憶部（例えば、副記憶部２１６）に保存することができる。
【０１０６】
また、「設定情報保存」のアイコンＭＣを選択してコンピュータ２０に保存したパラメータセットを呼び出すには、図６（ｃ）に表したメニューＭの「設定情報呼出」のアイコンＭＣを選択すればよい。読み出したパラメータセットの各種パラメータを参照、変更及び送信するには、先に説明したアイコンＭＣの選択によって行えばよい。また、後述する一覧表示を利用して行ってもよい。
【０１０７】
このような「設定情報保存」及び「設定情報呼出」の機能を用いると、複数台ある同じ機種の測定器１０について、同じパラメータを容易に設定することができる。例えば、ある１台の測定器１０についてパラメータの設定を行った状態で、パラメータセットをコンピュータ２０に保存しておく。その後、別の測定器１０をコンピュータ２０に接続し、先に保存しておいたパラメータセットを呼び出して、そのパラメータセットによる各種パラメータをコンピュータ２０に接続された測定器１０に送信し、記憶させる。さらに別の測定器１０にも同じパラメータを設定する場合には、その測定器１０をコンピュータ２０に接続して、呼び出し済みのパラメータセットによる各種パラメータを送信する。これを繰り返すことで、複数台の測定器１０に同じパラメータを設定する作業工数が大幅に低減される。
【０１０８】
図６（ｃ）に表したメニューＭの「全項目確認」のアイコンＭＣを選択すると、図１２に表したような設定項目の一覧を表示するウィンドウがポップアップ表示される。このウィンドウには、機種ごとの設定項目と、その設定項目に対応したパラメータの内容が、例えば表形式で表示される。
【０１０９】
この一覧表示では、測定器１０からコンピュータ２０に読み出した設定項目及びそれに対応したパラメータが表示される。また、コンピュータ２０によってユーザがパラメータを変更し、一時保存した場合には、一時保存された変更後のパラメータが表示される。
【０１１０】
パラメータが変更された設定項目については、変更されていない設定項目とは異なる表示にしてもよい。例えば、変更された設定項目に特定の色を付けて表示させる。これにより、どの設定項目が変更されたか、変更されていないかを容易に見つけ出すことができる。
【０１１１】
また、一覧表示において、各設定項目をアイコンＧＣで表示してもよい。ユーザは、一覧表示から所望の設定項目のアイコンＧＣを選択すると、その設定項目のパラメータを変更するためのウィンドウをポップアップ表示させることができる。そして、このポップアップ表示からパラメータを設定し、「ＯＫ」のアイコンＧＣを選択することで、一覧表示に戻る。この一覧表示では、変更したパラメータが反映されていることになる。
【０１１２】
また、一覧表示において、「一括送信」のアイコンＧＣを選択すると、一覧表示されている全ての設定項目に対応したパラメータを一括して測定器１０へ送信することができる。例えば、変更後のパラメータを一時保存した場合には、一覧表示で確認した後、「一括送信」のアイコンＧＣを選択することで、個別に設定し、一時保存しておいたパラメータを一回の処理でまとめて測定器１０へ送信することができる。コンピュータ２０から測定器１０へパラメータを送信することで、測定器１０では新たなパラメータへの設定が行われる。なお、測定器１０において、コンピュータ２０から送信されたパラメータを正常に受信した場合に確認音などの報知を行ってもよい。
【０１１３】
また、一覧表示において、変更があった設定項目の例えばパラメータの欄に、「キャンセル」のアイコンＧＣを設けてもよい。この「キャンセル」のアイコンＧＣを選択すると、変更後のパラメータを変更前のパラメータに戻す処理を設定項目ごとに行うことができる。
【０１１４】
また、一覧表示において、「一括キャンセル」のアイコンＧＣを設けてもよい。この「一括キャンセル」のアイコンＧＣを選択すると、変更され一時保存された設定項目の全てについて、変更後のパラメータを変更前のパラメータに一括して戻す処理を行うことができる。
【０１１５】
このように、ユーザはコンピュータ２０のモニタ２２に表示される外観画像Ｇ等を参照し、モニタ２２上のアイコンＧＣ及びＭＣを操作することで、複雑なボタン操作を必要とせず簡単に測定器１０のパラメータを設定することが可能になる。
【０１１６】
なお、上記説明した本実施形態に係る測定器１０のパラメータ設定プログラムは、コンピュータ読取可能な記録媒体ＭＭに記録されていてもよい。すなわち、図２に示すステップＳ１０１〜ステップＳ１０９の一部または全部を、コンピュータ２０に読み取り可能な形式で記録媒体ＭＭに記録してもよい。また、本実施形態に係る測定器１０のパラメータ設定プログラムは、ネットワークを介して配信されてもよい。
【０１１７】
以上説明したように、本実施形態によれば、測定器１０のパラメータ設定を容易に行うことができる測定器１０のパラメータ設定方法及び測定器１０のパラメータ設定プログラムを提供することが可能となる。
【０１１８】
なお、上記に本実施形態及びその具体例を説明したが、本発明はこれらの例に限定されるものではない。例えば、測定器１０の種別、設定項目、画面表示については、これらに限定されるものではない。また、前述の実施形態またはその具体例に対して、当業者が適宜、構成要素の追加、削除、設計変更を行ったものも、本発明の要旨を備えている限り、本発明の範囲に含有される。
【産業上の利用可能性】
【０１１９】
以上のように、本発明は、インジケータのほか、ハイトゲージ、デジタルノギス、デジタルマイクロメータ、リニアスケールなどに好適に利用できる。
【符号の説明】
【０１２０】
１０…測定器
１１…本体筐体
１２…表示部
１５…測定子
１６…スピンドル
２０…コンピュータ
２１…本体
２２…モニタ
３０…ケーブル
２１１…ＣＰＵ
２１２…インタフェース
２１３…出力部
２１４…入力部
２１５…主記憶部
２１６…副記憶部
Ｇ…外観画像
ＧＣ…アイコン
【図１】
0006348021.tif 000002
【図２】
0006348021.tif 000003
【図３】
0006348021.tif 000004
【図４】
0006348021.tif 000005
【図５】
0006348021.tif 000006
【図６】
0006348021.tif 000007
【図７】
0006348021.tif 000008
【図８】
0006348021.tif 000009
【図９】
0006348021.tif 000010
【図１０】
0006348021.tif 000011
【図１１】
0006348021.tif 000012
【図１２】
0006348021.tif 000013